(57)【要約】【課題】放電セルから出てくる可視光線の透過率の低下を最小化させることができるＰＤＰを提供することを目的とする。【解決手段】相互対向する第１パネル１０と第２パネル２０との間に複数の放電セルが形成され、第１パネルが、第１基板１０２と、第１基板上に配置され、一方向に延長されるＸ電極１１２及びＹ電極１１４と、Ｘ電極とＹ電極とを覆うように形成される第１誘電体層１０９ａとを具備し、第１誘電体層１０９ａが、放電セルに向かう面にグルーブ状の電界集中部１２０が形成され、電界集中部１２０の内側面が電界集中部の中心部に向かって凹型となる曲面になるように形成されるプラズマディスプレイパネルである。【選択図】図２
2007019003.tif 000002
【特許請求の範囲】
【請求項１】
相互対向する第１パネルと第２パネルとの間に複数の放電セルが形成され、
前記第１パネルが、第１基板と、前記第１基板上に配置され、一方向に延長されるＸ電極及びＹ電極と、前記Ｘ電極とＹ電極とを覆うように形成される第１誘電体層とを具備し、
前記第１誘電体層が、前記放電セルに向かう面にグルーブ状の電界集中部が形成され、前記電界集中部の内側面が前記電界集中部の中心部に向かって凹型となる曲面になるように形成されることを特徴とするプラズマディスプレイパネル。
【請求項２】
前記電界集中部を前記Ｘ電極及びＹ電極の延長方向に垂直になるように切断した垂直切断面の形を、前記第１パネル側が上になり、前記第２パネル側が下になるように見るとき、前記電界集中部の水平幅が、前記電界集中部の中央部で最も広いことを特徴とする請求項１に記載のプラズマディスプレイパネル。
【請求項３】
前記電界集中部の上端部での水平幅が、前記電界集中部の下端部での水平幅と同じであることを特徴とする請求項２に記載のプラズマディスプレイパネル。
【請求項４】
前記電界集中部の上端部が、前記第１基板に接するように形成されることを特徴とする請求項２に記載のプラズマディスプレイパネル。
【請求項５】
前記電界集中部を前記Ｘ電極及びＹ電極の延長方向に垂直になるように切断した垂直切断面の形を、前記第１パネル側が上になり、前記第２パネル側が下になるように見るとき、前記電界集中部の水平幅が、前記電界集中部の下端部で最も広いことを特徴とする請求項１に記載のプラズマディスプレイパネル。
【請求項６】
前記電界集中部の水平幅が、前記電界集中部の上端部で最も狭いことを特徴とする請求項５に記載のプラズマディスプレイパネル。
【請求項７】
前記電界集中部の上端部が、前記第１基板に接するように形成されることを特徴とする請求項６に記載のプラズマディスプレイパネル。
【請求項８】
前記放電セルから出てくる可視光線が前記第１パネルを透過する程度が、前記電界集中部の内側面の水平幅によって調節されることを特徴とする請求項１に記載のプラズマディスプレイパネル。
【請求項９】
前記電界集中部が、前記Ｘ電極とＹ電極との間で、前記Ｘ電極の延長方向と前記Ｙ電極の延長方向とに平行するように形成されることを特徴とする請求項１に記載のプラズマディスプレイパネル。
【請求項１０】
前記電界集中部を前記Ｘ電極及びＹ電極の延長方向に垂直になるように切断した垂直切断面の形を、前記第１パネル側が上になり、前記第２パネル側が下になるように見るとき、前記電界集中部が前記電界集中部の中央を基準として左右対称になるように形成されることを特徴とする請求項１に記載のプラズマディスプレイパネル。
【請求項１１】
前記電界集中部が、前記電界集中部を前記第１基板に平行するように切断した水平切断面の形が、四角形の多角形構造、または円形または楕円形構造を有するように形成されることを特徴とする請求項１に記載のプラズマディスプレイパネル。
【請求項１２】
互いに離隔されて対向する第１基板と第２基板と、
前記第１基板と前記第２基板との間の空間を区画して複数個の放電セルを形成する隔壁と、
前記第１基板上に配置され、一方向に延長されるＸ電極及びＹ電極と、
前記Ｘ電極と前記Ｙ電極とを覆うように形成され、前記複数の放電セルそれぞれに対応する部分でグルーブ状の電界集中部が形成され、前記電界集中部の内側面が前記電界集中部の中心部に向かって凹型となる曲面になるように形成される第１誘電体層と、
前記第２基板上に配置されて前記Ｘ電極及びＹ電極の延長方向と交差する方向に延長されるＡ電極と、
前記Ａ電極を覆うように形成される第２誘電体層と、
前記放電セル内に配置される蛍光体層と、
前記放電セル内の放電空間に充填される放電ガスとを具備することを特徴とするプラズマディスプレイパネル。
【請求項１３】
前記電界集中部を前記Ｘ電極及び前記Ｙ電極の延長方向に垂直になるように切断した垂直切断面の形を、前記第１基板側が上になり、前記第２基板側が下になるように見るとき、前記電界集中部の中央部の水平幅が、前記電界集中部の上端部の水平幅及び前記電界集中部の下端部の水平幅より広く形成されることを特徴とする請求項１２に記載のプラズマディスプレイパネル。
【請求項１４】
前記電界集中部の上端部が、前記第１基板に接するように形成されることを特徴とする請求項１３に記載のプラズマディスプレイパネル。
【請求項１５】
前記電界集中部を前記Ｘ電極及び前記Ｙ電極の延長方向に垂直になるように切断した垂直切断面の形を、前記第１基板側が上になり、前記第２基板側が下になるように見るとき、前記電界集中部の下端部の水平幅が、前記電界集中部の中央部の水平幅及び前記電界集中部の上端部の水平幅より広く形成されることを特徴とする請求項１２に記載のプラズマディスプレイパネル。
【請求項１６】
前記電界集中部の上端部が、前記第１基板に接するように形成されることを特徴とする請求項１５に記載のプラズマディスプレイパネル。
【請求項１７】
前記放電セルから出てくる可視光線が前記第１パネルを透過する程度が、前記電界集中部の内側面の水平幅によって調節されることを特徴とする請求項１２に記載のプラズマディスプレイパネル。
【請求項１８】
前記プラズマディスプレイパネルは、前記第１誘電体層を保護するための保護膜を追加的に具備することを特徴とする請求項１２に記載のプラズマディスプレイパネル。
【発明の詳細な説明】
【技術分野】
【０００１】
本発明は、プラズマディスプレイパネルに係り、さらに詳細には、放電を起こす電極間にグルーブ状の電界集中部が形成されるプラズマディスプレイパネルに関する。
【背景技術】
【０００２】
近来になり、プラズマディスプレイパネル（ＰＤＰ：Ｐｌａｓｍａ  Ｄｉｓｐｌａｙ  Ｐａｎｅｌ）が大型平板ディスプレイ装置として注目を集めている。ＰＤＰは、複数個の電極が形成された２枚の基板間に放電ガスを封入し、電極に電圧を印加して放電を起こし、放電による真空紫外線（ＶＵＶ：Ｖａｃｕｕｍ  Ｕｌｔｒａ  Ｖｉｏｌｅｔ）を発生させ、ＶＵＶが所定のパターンに形成された蛍光体を励起させる過程で発生する可視光線を利用し、所望の画像を表示する装置である。
【０００３】
従来のＰＤＰは、第１パネルと第２パネルとを具備する。第１パネルには、第１基板と、透明電極とバス電極とを具備するＸ電極（共通電極）と、透明電極とバス電極とを具備するＹ電極（走査電極）と、第１誘電体層と、保護膜とが備わる。第２パネルには、第２基板と、Ａ電極（アドレス電極）と、第２誘電体層と、隔壁と、蛍光体層とが備わる。
【０００４】
第１基板と第２基板は、互いに離隔されて平行するように対向する。２枚の基板間の空間は、隔壁により区画され、放電を起こす単位放電空間としての放電セルを形成する。それぞれの放電セルで、Ｘ電極及びＹ電極とＡ電極とが交差される。放電セル内部には、放電セル内部に備わる誘電体によりパネルキャパシタが形成される。すなわち、放電セルは、誘電体と放電セルとを覆う電極によって形成されるパネルキャパシタにより、等価モデリングされうる。
【０００５】
維持放電を起こすＸ電極とＹ電極との間の距離が狭まれば、その狭まり具合に比例して印加せねばならない駆動電圧を下げることができるという長所がある。一方、放電空間を広く活用できないので、発光効率が落ちてしまい、高輝度の表現が困難になるという短所がある。また、Ｘ電極とＹ電極との間の距離が狭まれば、それだけパネルキャパシタンスが増大するという短所も生じる。
【０００６】
維持放電を起こすＸ電極とＹ電極との間の距離が離れれば、放電空間を広く活用できて発光効率が高まるという長所がある。一方、それだけ印加せねばならない駆動電圧を上げなければならないので、消費電力が大きくなるという短所が生じる。
【発明の開示】
【発明が解決しようとする課題】
【０００７】
本発明は、電界集中部に曲面状の内側面を有させ、放電セルから出てくる可視光線の透過率の低下を最小化させることができるＰＤＰを提供することを目的とする。
【課題を解決するための手段】
【０００８】
本発明は、相互対向する第１パネルと第２パネルとの間に複数の放電セルが形成され、前記第１パネルが、第１基板と、前記第１基板上に配置され、一方向に延長されるＸ電極及びＹ電極と、前記Ｘ電極とＹ電極とを覆うように形成される第１誘電体層とを具備し、前記第１誘電体層が、前記放電セルに向かう面にグルーブ状の電界集中部が形成され、前記電界集中部の内側面が前記電界集中部の中心部に向かって凹型となる曲面になるように形成されるＰＤＰを提供する。
【０００９】
前記電界集中部を前記Ｘ電極及びＹ電極の延長方向に垂直になるように切断した垂直切断面の形を、前記第１パネル側が上になり、前記第２パネル側が下になるように見るとき、前記電界集中部の水平幅が、前記電界集中部の中央部で最も広いことが望ましい。
【００１０】
前記電界集中部の上端部での水平幅が、前記電界集中部の下端部での水平幅と同じであることが望ましい。
【００１１】
前記電界集中部の上端部が、前記第１基板に接するように形成されることが望ましい。
【００１２】
前記電界集中部を前記Ｘ電極及びＹ電極の延長方向に垂直になるように切断した垂直切断面の形を、前記第１パネル側が上になり、前記第２パネル側が下になるように見るとき、前記電界集中部の水平幅が、前記電界集中部の下端部で最も広いことが望ましい。
【００１３】
前記電界集中部の水平幅が、前記電界集中部の上端部で最も狭いことが望ましい。
【００１４】
前記放電セルから出てくる可視光線が前記第１パネルを透過する程度が、前記電界集中部の内側面の水平幅によって調節されることが望ましい。
【００１５】
前記電界集中部が、前記Ｘ電極とＹ電極との間で、前記Ｘ電極の延長方向と前記Ｙ電極の延長方向とに平行するように形成されることが望ましい。
【００１６】
前記電界集中部を前記Ｘ電極及びＹ電極の延長方向に垂直になるように切断した垂直切断面の形を、前記第１パネル側が上になり、前記第２パネル側が下になるように見るとき、前記電界集中部が前記電界集中部の中央を基準として左右対称になるように形成されることが望ましい。
【００１７】
前記電界集中部が、前記電界集中部を前記第１基板に平行するように切断した水平切断面の形が、四角形の多角形構造、または円形または楕円形構造を有するように形成されることが望ましい。
【００１８】
本発明の他の側面は、互いに離隔されて対向する第１基板と第２基板と、前記第１基板と前記第２基板との間の空間を区画して複数個の放電セルを形成する隔壁と、前記第１基板上に配置され、一方向に延長されるＸ電極及びＹ電極と、前記Ｘ電極と前記Ｙ電極とを覆うように形成され、前記複数の放電セルそれぞれに対応する部分でグルーブ状の電界集中部が形成され、前記電界集中部の内側面が前記電界集中部の中心部に向かって凹型となる曲面になるように形成される第１誘電体層と、前記第２基板上に配置されて前記Ｘ電極及びＹ電極の延長方向と交差する方向に延長されるＡ電極（アドレス電極）と、前記Ａ電極を覆うように形成される第２誘電体層と、前記放電セル内に配置される蛍光体層と、前記放電セル内の放電空間に充填される放電ガスとを具備するＰＤＰを提供する。
【００１９】
前記電界集中部を前記Ｘ電極及び前記Ｙ電極の延長方向に垂直になるように切断した垂直切断面の形を、前記第１基板側が上になり、前記第２基板側が下になるように見るとき、前記電界集中部の中央部の水平幅が、前記電界集中部の上端部の水平幅及び前記電界集中部の下端部の水平幅より広く形成されることが望ましい。
【００２０】
前記電界集中部を前記Ｘ電極及び前記Ｙ電極の延長方向に垂直になるように切断した垂直切断面の形を、前記第１基板側が上になり、前記第２基板側が下になるように見るとき、前記電界集中部の下端部の水平幅が、前記電界集中部の中央部の水平幅及び前記電界集中部の上端部の水平幅より広く形成されることが望ましい。
【発明の効果】
【００２１】
本発明によるＰＤＰは、電界集中部に曲面状の内側面を有させ、放電セルから出てくる可視光線の透過率の低下を最小化させることができる。
【発明を実施するための最良の形態】
【００２２】
以下、添付された図面を参照しつつ、本発明の望ましい実施形態を詳細に説明する。
【００２３】
図１は、本発明による電界集中部が形成される望ましい実施形態であり、ＰＤＰの分離斜視図である。図２は、図１のＰＤＰで、II−II線に沿って切り取った断面図である。図３は、図１のＰＤＰで、第１基板側から見た電界集中部を概略的に示した図面である。
【００２４】
図面を参照すれば、ＰＤＰ  １は、第１パネル１０と第２パネル２０とを具備する。第１パネル１０は、第１基板１０２と、Ｘ電極１１２と、Ｙ電極１１４と、第１誘電体層１０９ａと、保護膜１１０とを具備する。Ｘ電極１１２は、透明電極１１２ａとバス電極１１２ｂとを具備する。Ｙ電極１１４は、透明電極１１４ａとバス電極１１４ｂとを具備する。第２パネル２０は、第２基板１０４と、Ａ電極（アドレス電極）１１６と、第２誘電体層１０９ｂと、隔壁１０６と、蛍光体層１０８とを具備する。
【００２５】
第１基板１０２と第２基板１０４は、所定間隔離隔されて相互対向する。このとき、第１基板１０２と第２基板１０４は、互いに平行するように配置されうる。隔壁１０６は、第１基板１０２と第２基板１０４との間の空間を区画して複数個の放電セルを区分する。Ｘ電極１１２及びＹ電極１１４は、第１基板１０２上に一方向に延長されるように配置される。
【００２６】
Ａ電極１１６は、第２基板１０４上に配置され、Ｘ電極１１２及びＹ電極１１４と交差するように延びる。このとき、それぞれの放電セルで、Ｘ電極１１２及びＹ電極１１４とＡ電極１１６とが交差される。前記放電セル内の隔壁１０６及び第２誘電体層１０９ｂの上には、蛍光体層１０８が形成される。また、放電セル内には、放電ガスが充填される。
【００２７】
第１誘電体層１０９ａは、Ｘ電極１１２とＹ電極１１４とを覆うように形成される。第１誘電体層１０９ａには、放電セルに向かう面に、グルーブ状の電界集中部１２０が形成される。電界集中部１２０は、内側面１２１が電界集中部１２０の中心部に向かって凹型となる曲面になるように形成される。
【００２８】
前記第１誘電体層１０９ａの放電セルに向かう面には、第１誘電体層１０９ａを保護するための酸化マグネシウム（ＭｇＯ）の保護層１１０が形成される。第２誘電体層１０９ｂは、Ａ電極１１６を覆うように形成される。
【００２９】
第１基板１０２と第２基板１０４との間の空間は、隔壁１０６により区画され、放電を起こす単位放電空間としての放電セルを形成する。放電セルの内部には、大気圧より低い圧力の放電ガス（ほぼ０．５ａｔｍ以下）が充填される。それぞれの放電セルに関与したそれぞれの電極に印加される駆動電圧によって形成される電場により、放電ガス粒子と電荷とが衝突を起こしつつプラズマ放電が起き、プラズマ放電の結果としてＶＵＶが発生する。
【００３０】
放電ガスとしては、Ｎｅガス、ＨｅガスまたはＡｒガスのうち、いずれか一種または二種以上のガスにＸｅガスを混合した混合ガスが利用される。
【００３１】
隔壁１０６は、放電セルを限定して画像の基本単位を形成させ、放電セル間のクロストークを防止する役割を担当する。本発明の望ましい実施形態によるＰＤＰの放電セルを第１基板及び第２基板に平行するように切断した形、四角形、六角形または八角形のような多角形構造か、または円形または楕円形構造を有することができ、かような形は、隔壁１０６が配置される形によって形成されうる。
【００３２】
蛍光体層１０８では、放電により発生するＶＵＶが吸収されることによって励起される電子が再び安定状態になるときに可視光線を発散するＰＬ（Ｐｈｏｔｏ  Ｌｕｍｉｎｅｓｃｅｎｃｅ）発光メカニズムが起こる。蛍光体層１０８は、ＰＤＰにカラー画像を具現させるために、赤色発光蛍光体層、緑色発光蛍光体層及び青色発光蛍光体層を具備でき、赤色発光蛍光体層、緑色発光蛍光体層及び青色発光蛍光体層が放電セルの内部に配置されて単位画素を形成できる。
【００３３】
赤色発光蛍光体としては、（Ｙ，Ｇｄ）ＢＯ３：Ｅｕ３＋などがあり、緑色発光蛍光体としては、Ｚｎ２Ｓｉ０４：Ｍｎ２＋などがあり、青色発光蛍光体としては、ＢａＭｇＡｌ１０Ｏ１７：Ｅｕ２＋などがある。図面では、蛍光体層１０８が放電セル内の第２基板１０４と隔壁１０６とに形成されると図示されている。しかし、本発明では、蛍光体層の配置がこれに限定されずに、多様な実施形態を有することができる。
【００３４】
第１誘電体層１０９ａは、Ｘ電極１１２及びＹ電極１１４の絶縁被膜として使われる誘電体層であり、絶縁抵抗が高くて透光率の良好な材料を使用する。放電により発生した電荷のうち一部は、各電極１１２，１１４に印加される電圧の極性による電気的引力に引っ張られ、第１誘電体層１０９ａの付近（保護膜１１０を挟んで）にたまって壁電荷を形成する。
【００３５】
第２誘電体層１０９ｂは、Ａ電極１１６の絶縁被膜として使われる誘電体層であり、絶縁抵抗の高い材料を使用する。
【００３６】
保護膜１１０は、第１誘電体層１０９ａを保護し、放電時に二次電子の放出を増加させて放電を容易にする。保護膜１１０は、酸化マグネシウム（ＭｇＯ）のような材料を使用して形成する。
【００３７】
透明電極１１２ａ，１１４ａは、放電セルから発散される可視光線を透過させるためにＩＴＯ（Ｉｎｄｉｕｍ  Ｔｉｎ  Ｏｘｉｄｅ）のような透明材質を使用する。一方、透明電極１１２ａ，１１４ａは、一般的に電気抵抗が高いために、高い電気伝導性を有する金属から形成されたバス電極１１２ｂ，１１４ｂを補助的に具備し、各電極１１２，１１４の電気伝導性を向上させている。
【００３８】
ただし、本発明は、前記の説明でのように、Ｘ電極１１２及びＹ電極１１４がバス電極と透明電極とをいずれも具備する構造についてのみ適用されるものではなく、ＩＴＯ−ｌｅｓｓ構造でのように、透明電極なしにバス電極だけでＸ電極及びＹ電極を形成するＰＤＰの場合にも適用されうる。
【００３９】
電界集中部１２０は、第１誘電体層１０９ａをエッチングするなどの方法により形成される。Ｘ電極１１２とＹ電極１１４との間の放電経路は、電界集中部１２０により短縮され、放電経路が短縮されると共に、グルーブ状の空間に電界が集中するという効果があるために、電子（負極性電荷）とイオン（正極性電荷）の密度が増大し、Ｘ電極１１２とＹ電極１１４との間の放電を容易にする。また、Ｘ電極１１２とＹ電極１１４との間の距離を広げることができるほど、放電空間を広く活用できて発光効率を向上させることができ、第１誘電体層１０９ａをエッチングしたほど、放電セルから出てくる可視光線の第１パネル透過率が向上するという効果もある。
【００４０】
本発明では、電界集中部の内側面１２１を電界集中部１２０の中心部に向かって凹型となる曲面になるように形成すれば、電界集中部の内側面１２１の水平幅を狭めることができるために、それだけ放電セルから出てくる可視光線の第１パネル透過率の低下を減らす。
【００４１】
電界集中部の内側面１２１は、実際のＰＤＰの映像表示において黒部として現れうる。これは、放電セルから出てくる可視光線が電界集中部の内側面１２１での乱反射または散乱などの理由で第１パネルを透過できなくなり、第１パネル１０側から見れば、黒部として現れるのである。
【００４２】
このとき、黒部の面積が広いほど放電セルから出てくる可視光線の第１パネル透過率は低下する。ここで、黒部の面積は、電界集中部の内側面１２１の水平幅ｄ１によって決定される。すなわち、放電セルから出てくる可視光線の第１パネル透過率は、電界集中部の内側面１２１の水平幅ｄ１が広いほどはなはだしく低下しうる。
【００４３】
一方、電界集中部の内側面１２１が一定の傾き値で傾斜するように、電界集中部が形成されうる。しかし、その場合には、電界集中部の内側面が放電セルから出てくる可視光線に対して乱反射または散乱などを起こすことがあり、その結果、放電セルから出てくる可視光線が第１パネルを透過するのに障害になることがある。すなわち、傾斜するように形成された電界集中部の内側面は、放電セルから出てくる可視光線の第１パネル透過率を低下させることがある。
【００４４】
また、黒部なくすために、電界集中部１２０は、電界集中部の内側面１２１が第１基板１０２に対して直交するように形成されうる。しかし、その場合には、実際の製造工程がきわめて困難である。第１誘電体層１０９ａの厚さが非常に薄いだけではなく、電界集中部１２０の実際水平幅Ｄが非常に狭いために、長方形のグルーブを第１誘電体層１０９ａに形成させることが非常に困難である。
【００４５】
他の実施形態としての電界集中部１２０は、電界集中部を第１基板１０２に平行するように切断した水平切断面の形が、四角形の多角形構造、または円形または楕円形構造を有するように形成できる。
【００４６】
本発明では、電界集中部の内側面１２１を電界集中部１２０の中心部に向かって凹型となる曲面になるように形成する。それにより、電界集中部内側面の水平幅ｄ１が狭まり、それだけ放電セルから出てくる可視光線の第１パネル透過率の低下を減らすのである。
【００４７】
一方、黒部は、放電セルから出てくる可視光線の第１パネル透過率を低下させる否定的側面がある一方で、外部から第１パネルに入射される外部可視光線の反射を減らして外部可視光線の第１パネル反射率を低減させることにより、ＰＤＰのコントラスト（色対応率または明暗対応率）を向上させるという肯定的側面もある。しかし、ややもして黒部の配置と黒部の面積とが誤って設定される場合には、ＰＤＰの表示品質を顕著に落とすことがあるので、黒部の設定においては、細心な注意を傾けねばならない。本発明は、かかる側面を考慮し、放電セルから出てくる可視光線の第１パネル透過率が低下することを最小化させる。
【００４８】
図示のように、電界集中部１２０を前記Ｘ電極１１２及びＹ電極１１４の延長方向に垂直になるように切断した垂直切断面の形を、第１パネル１０側が上になり、第２パネル２０側が下になるように見るとき、電界集中部１２０の中央部の水平幅Ｄが電界集中部の上端部の水平幅及び前記電界集中部の下端部の水平幅より広く形成されることが望ましい。すなわち、前記電界集中部の水平幅が電界集中部の中央部で最も広い。このとき、電界集中部１２０の上端部での水平幅が電界集中部１２０の下端部での水平幅と同じになりうる。また、電界集中部１２０の上端部が第１基板１０２に接するように形成されうる。
【００４９】
また、電界集中部１２０をＸ電極１１２及びＹ電極１１４の延長方向に垂直になるように切断した垂直切断面の形を、第１パネル１０側が上になり、第２パネル２０側が下になるように見るとき、電界集中部１２０が電界集中部の中央を基準として左右対称になるように形成されることが望ましい。
【００５０】
放電セルから出てくる可視光線が第１誘電体層１０９ａを透過する程度（割合）を決定づける要素には、電界集中部の内側面１２１の水平幅ｄ１が含まれる。従って、放電セルから出てくる可視光線が第１パネル１０を透過する程度（割合）が、前記電界集中部の内側面の水平幅ｄ１によって調節されうる。
【００５１】
また、図３に図示されているように、電界集中部１２０が、Ｘ電極１１２とＹ電極１１４との間で、Ｘ電極の延長方向とＹ電極の延長方向とに平行するように形成されうる。
【００５２】
図４は、本発明による望ましい他の実施形態であり、ＰＤＰの放電セルの構造を表す図面である。
【００５３】
図面を参照すれば、本実施形態によるＰＤＰは、図２に図示された実施形態とは、電界集中部２２０の形状だけ後述の通り異なる。従って、図２に図示された実施形態と同じ機能を行う同じ構成要素については、類似した参照番号を使用し、それらについての詳細な説明は省略する。
【００５４】
本実施形態によるＰＤＰでは、電界集中部２２０を、Ｘ電極２１２及びＹ電極２１４の延長方向に垂直になるように切断した垂直切断面の形を第１基板２０２側が上になり、第２基板２０４側が下になるように見るとき、電界集中部の下端部の水平幅Ｄが電界集中部の中央部の水平幅及び電界集中部の上端部の水平幅より広く形成される。すなわち、電界集中部の水平幅が電界集中部の下端部Ｄで最も広い。また、電界集中部の水平幅が電界集中部の上端部で最も狭い。
【００５５】
また、電界集中部２２０の上端部が第１基板２０２に接するように形成されることが望ましい。ただし、他の実施形態として、電界集中部２２０の上端部と第１基板２０２との間に誘電物質による第１誘電体層２０９ａが存在しうる。
【００５６】
また、放電セルから出てくる可視光線が第１パネル（図１の１０）を透過する程度（割合）を決定づける要素には、電界集中部の内側面２２１の水平幅ｄ２が含まれうる。すなわち、電界集中部の内側面２２１の水平幅ｄ２は、電界集中部の内側面２２１の窪み程度（具合）や、または曲率によって決まると見ることができる。従って、結局、電界集中部の内側面２２１の窪み程度（具合）や、または曲率は、放電セルから出てくる可視光線の第１パネル透過率に影響を及ぼす主要な因子となる。
【００５７】
本発明は、図面に図示された実施形態を参考に説明されたが、それらは、例示的なものに過ぎず、本技術分野の当業者ならば、それらから多様な変形及び均等な他の実施形態が可能であるという点が理解できるであろう。従って、本発明の真の技術的保護範囲は、特許請求の範囲の思想によって決まるものである。
【産業上の利用可能性】
【００５８】
本発明のＰＤＰは、例えば、大型平板ディスプレイ関連の技術分野に効果的に適用可能である。
【図面の簡単な説明】
【００５９】
【図１】本発明による電界集中部が形成される望ましい実施形態であり、ＰＤＰの分離斜視図である。
【図２】図１のＰＤＰのII−II線に沿って切り取った断面図である。
【図３】図１のＰＤＰの第１基板側から見た電界集中部を概略的に図示した平面図である。
【図４】本発明による望ましい他の実施形態であり、ＰＤＰの放電セルの構造を表す断面図である。
【符号の説明】
【００６０】
１        ＰＤＰ
１０        第１パネル
２０        第２パネル
１０２、２０２        第１基板
１０４、２０４        第２基板
１０６、２０６        隔壁
１０８、２０８        蛍光体層
１０９ａ、２０９ａ        第１誘電体層
１０９ｂ、２０９ｂ        第２誘電体層
１１０、２１０        保護膜
１１２、２１２        Ｘ電極
１１２ａ、２１２ａ、１１４ａ、２１４ａ        透明電極
１１２ｂ、２１２ｂ、１１４ｂ、２１４ｂ        バス電極
１１４、２１４        Ｙ電極
１１６、２１６        Ａ電極
１２０、２２０        電界集中部
１２１、２２１        電界集中部の内側面
Ｄ        電界集中部の実際水平幅
ｄ１、ｄ２        電界集中部の内側面の水平幅
【図１】
2007019003.tif 000003
【図２】
2007019003.tif 000004
【図３】
2007019003.tif 000005
【図４】
2007019003.tif 000006